【手続補正書】
【提出日】平成17年4月7日(2005.4.7)
【手続補正１】
【補正対象書類名】明細書
【補正対象項目名】特許請求の範囲
【補正方法】変更
【補正の内容】
【特許請求の範囲】
【請求項１】
主走査方向に配列した複数の発熱体を有するサーマルヘッドとプラテンローラとの間に熱可塑性樹脂フィルムを有する感熱孔版マスタを介在させながら、上記主走査方向と直交する副走査方向に上記感熱孔版マスタを上記サーマルヘッドに対し相対的に移動させ、画像データに応じて、上記発熱体の位置選択的な加熱により上記感熱孔版マスタの上記熱可塑性樹脂フィルムを溶融穿孔・製版してドット状の製版画像を上記感熱孔版マスタに形成する感熱製版装置において、
上記プラテンローラは少なくともその外周表面が導電性材料で構成された導電性プラテンローラであり、
上記サーマルヘッドと上記導電性プラテンローラとを互いに接離自在とする接離手段と、
製版時に、上記接離手段をして上記サーマルヘッドと上記導電性プラテンローラとを上記感熱孔版マスタを介して接触させ、非製版時に、上記接離手段をして上記サーマルヘッドと上記導電性プラテンローラとを離間させる制御手段と、
製版開始前に、上記サーマルヘッドの全発熱体を、上記熱可塑性樹脂フィルムを溶融穿孔するに至らない予熱用エネルギーを設定することにより予備加熱させ、かつ、上記サーマルヘッドの蓄熱量を略一定に保つように制御する製版開始前サーマルヘッド予熱制御手段と、
を具備することを特徴とする感熱製版装置。
【請求項２】
主走査方向に配列した複数の発熱体を有するサーマルヘッドとプラテンローラとの間に熱可塑性樹脂フィルムを有する感熱孔版マスタを介在させながら、上記主走査方向と直交する副走査方向に上記感熱孔版マスタを上記サーマルヘッドに対し相対的に移動させ、画像データに応じて、上記発熱体の位置選択的な加熱により上記感熱孔版マスタの上記熱可塑性樹脂フィルムを溶融穿孔・製版してドット状の製版画像を上記感熱孔版マスタに形成する感熱製版装置において、
上記プラテンローラは少なくともその外周表面が導電性材料で構成された導電性プラテンローラであり、
上記サーマルヘッドと上記導電性プラテンローラとを互いに接離自在とする接離手段と、
製版時に、上記接離手段をして上記サーマルヘッドと上記導電性プラテンローラとを上記感熱孔版マスタを介して接触させ、非製版時に、上記接離手段をして上記サーマルヘッドと上記導電性プラテンローラとを離間させる制御手段と、
上記サーマルヘッドの全発熱体を予熱用エネルギーで予備加熱させ、かつ、上記サーマルヘッドの蓄熱量を略一定に保つように制御する製版開始前サーマルヘッド予熱制御手段と、
を具備することを特徴とする感熱製版装置。
【請求項３】
請求項１または２記載の感熱製版装置において、
上記サーマルヘッドの温度を検出するサーマルヘッド温度検出手段と、
上記サーマルヘッド温度検出手段で検出されたサーマルヘッド温度に応じて、上記サーマルヘッドの個々の発熱体に供給する穿孔用エネルギーを所定のエネルギーに調整するサーマルヘッド温度別穿孔エネルギー調整手段と、
上記サーマルヘッド温度に応じて、上記製版開始前サーマルヘッド予熱制御手段で設定された上記予熱用エネルギーを調整するサーマルヘッド温度別予熱エネルギー調整手段とを具備することを特徴とする感熱製版装置。
【請求項４】
請求項１または２記載の感熱製版装置において、
製版中にも、上記サーマルヘッドの全発熱体を、上記熱可塑性樹脂フィルムを溶融穿孔するに至らない予熱用エネルギーを設定することにより予備加熱させ、かつ、上記サーマルヘッドの蓄熱量を略一定に保つように制御する製版中サーマルヘッド予熱制御手段を具備することを特徴とする感熱製版装置。
【請求項５】
請求項４記載の感熱製版装置において、
上記サーマルヘッドの温度を検出するサーマルヘッド温度検出手段と、
上記サーマルヘッド温度検出手段で検出されたサーマルヘッド温度に応じて、上記サーマルヘッドの個々の発熱体に供給する穿孔用エネルギーを所定のエネルギーに調整するサーマルヘッド温度別穿孔エネルギー調整手段と、
上記サーマルヘッド温度に応じて、上記製版開始前サーマルヘッド予熱制御手段および上記製版中サーマルヘッド予熱制御手段で設定された上記各予熱用エネルギーを調整するサーマルヘッド温度別予熱エネルギー調整手段とを具備することを特徴とする感熱製版装置。
【請求項６】
請求項１ないし５の何れか一つに記載の感熱製版装置において、
上記サーマルヘッドのグレーズ層の厚さが、６０μｍ以下であることを特徴と
する感熱製版装置。
【請求項７】
請求項１ないし６の何れか一つに記載の感熱製版装置において、
上記感熱孔版マスタが、実質的に熱可塑性樹脂フィルムのみから成ることを特徴とする感熱製版装置。
【手続補正２】
【補正対象書類名】明細書
【補正対象項目名】０００８
【補正方法】変更
【補正の内容】
【０００８】
【課題を解決するための手段】
上述の目的を達成するために、請求項１記載の発明は、主走査方向に配列した複数の発熱体を有するサーマルヘッドとプラテンローラとの間に熱可塑性樹脂フィルムを有する感熱孔版マスタを介在させながら、上記主走査方向と直交する副走査方向に上記感熱孔版マスタを上記サーマルヘッドに対し相対的に移動させ、画像データに応じて、上記発熱体の位置選択的な加熱により上記感熱孔版マスタの上記熱可塑性樹脂フィルムを溶融穿孔・製版してドット状の製版画像を上記感熱孔版マスタに形成する感熱製版装置において、上記プラテンローラは少なくともその外周表面が導電性材料で構成された導電性プラテンローラであり、上記サーマルヘッドと上記導電性プラテンローラとを互いに接離自在とする接離手段と、製版時に、上記接離手段をして上記サーマルヘッドと上記導電性プラテンローラとを上記感熱孔版マスタを介して接触させ、非製版時に、上記接離手段をして上記サーマルヘッドと上記導電性プラテンローラとを離間させる制御手段と、製版開始前に、上記サーマルヘッドの全発熱体を、上記熱可塑性樹脂フィルムを溶融穿孔するに至らない予熱用エネルギーを設定することにより予備加熱させ、かつ、上記サーマルヘッドの蓄熱量を略一定に保つように制御する製版開始前サーマルヘッド予熱制御手段とを具備することを特徴とする。
請求項２記載の発明は、主走査方向に配列した複数の発熱体を有するサーマルヘッドとプラテンローラとの間に熱可塑性樹脂フィルムを有する感熱孔版マスタを介在させながら、上記主走査方向と直交する副走査方向に上記感熱孔版マスタを上記サーマルヘッドに対し相対的に移動させ、画像データに応じて、上記発熱体の位置選択的な加熱により上記感熱孔版マスタの上記熱可塑性樹脂フィルムを溶融穿孔・製版してドット状の製版画像を上記感熱孔版マスタに形成する感熱製版装置において、上記プラテンローラは少なくともその外周表面が導電性材料で構成された導電性プラテンローラであり、上記サーマルヘッドと上記導電性プラテンローラとを互いに接離自在とする接離手段と、製版時に、上記接離手段をして上記サーマルヘッドと上記導電性プラテンローラとを上記感熱孔版マスタを介して接触させ、非製版時に、上記接離手段をして上記サーマルヘッドと上記導電性プラテンローラとを離間させる制御手段と、上記サーマルヘッドの全発熱体を予熱用エネルギーで予備加熱させ、かつ、上記サーマルヘッドの蓄熱量を略一定に保つように制御する製版開始前サーマルヘッド予熱制御手段とを具備することを特徴とする。
【手続補正３】
【補正対象書類名】明細書
【補正対象項目名】０００９
【補正方法】変更
【補正の内容】
【０００９】
請求項３記載の発明は、請求項１または２記載の感熱製版装置において、上記サーマルヘッドの温度を検出するサーマルヘッド温度検出手段と、上記サーマルヘッド温度検出手段で検出されたサーマルヘッド温度に応じて、上記サーマルヘッドの個々の発熱体に供給する穿孔用エネルギーを所定のエネルギーに調整するサーマルヘッド温度別穿孔エネルギー調整手段と、上記サーマルヘッド温度に応じて、上記製版開始前サーマルヘッド予熱制御手段で設定された上記予熱用エネルギーを調整するサーマルヘッド温度別予熱エネルギー調整手段とを具備することを特徴とする。
【手続補正４】
【補正対象書類名】明細書
【補正対象項目名】００１０
【補正方法】変更
【補正の内容】
【００１０】
請求項４記載の発明は、請求項１または２記載の感熱製版装置において、製版中にも、上記サーマルヘッドの全発熱体を、上記熱可塑性樹脂フィルムを溶融穿孔するに至らない予熱用エネルギーを設定することにより予備加熱させ、かつ、上記サーマルヘッドの蓄熱量を略一定に保つように制御する製版中サーマルヘッド予熱制御手段を具備することを特徴とする。
【手続補正５】
【補正対象書類名】明細書
【補正対象項目名】００１１
【補正方法】変更
【補正の内容】
【００１１】
請求項５記載の発明は、請求項４記載の感熱製版装置において、上記サーマルヘッドの温度を検出するサーマルヘッド温度検出手段と、上記サーマルヘッド温度検出手段で検出されたサーマルヘッド温度に応じて、上記サーマルヘッドの個々の発熱体に供給する穿孔用エネルギーを所定のエネルギーに調整するサーマルヘッド温度別穿孔エネルギー調整手段と、上記サーマルヘッド温度に応じて、上記製版開始前サーマルヘッド予熱制御手段および上記製版中サーマルヘッド予熱制御手段で設定された上記各予熱用エネルギーを調整するサーマルヘッド温度別予熱エネルギー調整手段とを具備することを特徴とする。
【手続補正６】
【補正対象書類名】明細書
【補正対象項目名】００１２
【補正方法】変更
【補正の内容】
【００１２】
請求項６記載の発明は、請求項１ないし５の何れか一つに記載の感熱製版装置において、上記サーマルヘッドのグレーズ層の厚さが、６０μｍ以下であることを特徴とする。
【手続補正７】
【補正対象書類名】明細書
【補正対象項目名】００１３
【補正方法】変更
【補正の内容】
【００１３】
請求項７記載の発明は、請求項１ないし６の何れか一つに記載の感熱製版装置において、上記感熱孔版マスタが、実質的に熱可塑性樹脂フィルムのみから成ることを特徴とする。
【手続補正８】
【補正対象書類名】明細書
【補正対象項目名】００１７
【補正方法】変更
【補正の内容】
【００１７】
ロール状に形成されたマスタロール５３ｂから繰り出されるフィルム５３ａを有する感熱孔版マスタ５３は、搬送ローラ対５２による回転搬送動作によって副走査方向Ｆに移送され、プラテンローラ５６’とサーマルヘッド１との間に挿入されるようになっている。そして、プラテンローラ５６’とサーマルヘッド１との間に位置する感熱孔版マスタ５３は、サーマルヘッド１の発熱体２１と対向接触する側に位置しているフィルム５３ａの面側が発熱体２１の位置選択的な加熱によってフィルム５３ａ面にドット状の製版画像を形成される。このような製版画像の形成動作における製版時においてあるいは上記した製版動作前後の搬送時等において、感熱孔版マスタ５３とプラテンローラ５６’との間、および感熱孔版マスタ５３とサーマルヘッド１との間に少なからずも摩擦がそれぞれ生じ、その際の摩擦により発生する静電気によりプラテンローラ５６’の外周表面やサーマルヘッド１の接触面および感熱孔版マスタ５３が帯電し、感熱孔版マスタ５３とプラテンローラ５６’との間、および感熱孔版マスタ５３とサーマルヘッド１との間に電位差が生じてしまい、その結果として帯電量の多いプラテンローラ５６’の外周面側に感熱孔版マスタ５３が貼り付いて、いわゆる感熱孔版マスタ５３の巻き上がり不具合が発生してしまい、感熱孔版マスタ５３の搬送不良が生じることになる。
【手続補正９】
【補正対象書類名】明細書
【補正対象項目名】００６５
【補正方法】変更
【補正の内容】
【００６５】
次いで、圧解除モータ７９が押圧回転位置を占めると同時に、ステップＳ３に進み、導電性プラテンローラ５６に連結された上記ステッピングモータ等の搬送駆動装置がオンされ回転駆動されることにより、導電性プラテンローラ５６および搬送ローラ対５２が回転されて、感熱孔版マスタ５３が副走査方向Ｆに搬送される。そして、ステップＳ４において、感熱製版が開始される。この感熱製版は、サーマルヘッド１の発熱体２１と対向接触する側に位置している感熱孔版マスタ５３のフィルム５３ａ面側が、画像信号に応じて発熱体２１の位置選択的な加熱によって溶融穿孔されることにより、導電性プラテンローラ５６とサーマルヘッド１との間に位置する感熱孔版マスタ５３にドット状の製版画像を形成されることによりなされる。この際には、上述したように、押し圧解除機構７０の圧解除モータ７９が押圧回転位置を占め、サーマルヘッド１が感熱孔版マスタ５３を介して導電性プラテンローラ５６に接触・加圧し、サーマルヘッド１、感熱孔版マスタ５３および導電性プラテンローラ５６がリード線６５、アース部６６ａを介してアースＦＧに接続された導通状態となっているので、感熱孔版マスタ５３を搬送する際に帯電した感熱孔版マスタ５３等の静電気を電位差の低い導電性プラテンローラ５６の外周表面から、芯金５６ａ、リード線６５、アース部６６ａを介してアースＦＧに逃してやること（放電すること）ができる。
【手続補正１０】
【補正対象書類名】明細書
【補正対象項目名】０１２５
【補正方法】変更
【補正の内容】
【０１２５】
【発明の効果】
本発明によれば、上述した従来の諸問題点を解決することができる。すなわち、請求項１記載の発明によれば、製版開始前に、製版開始前サーマルヘッド予熱制御手段により、サーマルヘッドの全発熱体を、熱可塑性樹脂フィルムを溶融穿孔するに至らない予熱用エネルギーを設定することにより予備加熱させ、かつ、サーマルヘッドの蓄熱量を略一定に保つように制御するので、副走査方向にベタ画像部等が多い原稿画像を製版させる時等にはその先頭ライン付近の感熱孔版マスタの穿孔状態と後端ライン付近の穿孔状態の差がほとんど生じなく、穿孔状態として独立してなおかつ微細なものが得られるので、製版すべき如何なる原稿画像に対しても感熱孔版マスタの収縮等がかなり低減され、勿論製版シワ等が発生せず、画像寸法再現性が極めて良好で、ひいては最適な印刷画像を形成することができると共に、ベタ部等の感熱孔版マスタのフィルム穿孔径を小径化でき、なおかつ均一な穿孔状態が得られることにより、ひいては印刷画像濃度のムラがほとんどなく、感熱製版印刷装置等で使用するインキの印刷用紙への過剰転移を低減して、感熱製版印刷装置等特有の裏移りと呼ばれる不具合の発生を防止することができる。
請求項２記載の発明によれば、上記した請求項１記載の発明の効果に加えて、予熱に要する時間を短縮できる。
【手続補正１１】
【補正対象書類名】明細書
【補正対象項目名】０１２６
【補正方法】変更
【補正の内容】
【０１２６】
請求項３記載の発明によれば、サーマルヘッド温度検出手段で検出されたサーマルヘッド温度に応じて、サーマルヘッドの個々の発熱体に供給する穿孔用エネルギーを所定のエネルギーに調整するサーマルヘッド温度別穿孔エネルギー調整手段と、サーマルヘッド温度に応じて、製版開始前サーマルヘッド予熱制御手段で設定された予熱用エネルギーを調整するサーマルヘッド温度別予熱エネルギー調整手段とを具備することにより、使用するサーマルヘッドの如何なる温度にあっても、請求項１または２記載の効果をより確実に奏することができる。
【手続補正１２】
【補正対象書類名】明細書
【補正対象項目名】０１２７
【補正方法】変更
【補正の内容】
【０１２７】
請求項４記載の発明によれば、製版中にも、サーマルヘッドの全発熱体を、熱可塑性樹脂フィルムを溶融穿孔するに至らない予熱用エネルギーを設定することにより予備加熱させ、かつ、サーマルヘッドの蓄熱量を略一定に保つように制御する製版中サーマルヘッド予熱制御手段を具備することにより、請求項１または２記載の効果をより確実に奏することができる。
【手続補正１３】
【補正対象書類名】明細書
【補正対象項目名】０１２８
【補正方法】変更
【補正の内容】
【０１２８】
請求項５記載の発明によれば、サーマルヘッド温度検出手段で検出されたサーマルヘッド温度に応じて、サーマルヘッドの個々の発熱体に供給する穿孔用エネルギーを所定のエネルギーに調整するサーマルヘッド温度別穿孔エネルギー調整手段と、サーマルヘッド温度に応じて、製版開始前サーマルヘッド予熱制御手段および製版中サーマルヘッド予熱制御手段で設定された各予熱用エネルギーを調整するサーマルヘッド温度別予熱エネルギー調整手段とを具備することにより、使用するサーマルヘッドの如何なる温度にあっても、請求項４記載の効果をより一層確実に奏することができる。
【手続補正１４】
【補正対象書類名】明細書
【補正対象項目名】０１２９
【補正方法】変更
【補正の内容】
【０１２９】
請求項６記載の発明によれば、サーマルヘッドのグレーズ層の厚さが６０μｍμｍ以下であることにより、上記各発明の効果に加えて、サーマルヘッドに具備されているグレーズ層での蓄熱作用が低減できるので、感熱孔版マスタが有する熱可塑性樹脂フィルムの穿孔状態に対する蓄熱作用の影響が極力少なくなるため、副走査方向にベタ画像部等がより多い原稿画像を製版させる時等にはその先頭ライン付近の感熱孔版マスタの穿孔状態と後端ライン付近の穿孔状態の差がほとんど生じなく、穿孔状態として独立してなおかつ微細なものが得られるので、製版すべき如何なる原稿画像に対しても感熱孔版マスタの収縮等がかなり低減され、勿論製版シワ等が発生せず、画像寸法再現性が極めて良好で、ひいては最適な印刷画像を形成することができると共に、ベタ部等の感熱孔版マスタのフィルム穿孔径を小径化でき、なおかつ均一な穿孔状態が得られることにより、ひいては印刷画像濃度のムラがほとんどなく、感熱製版印刷装置等で使用するインキの印刷用紙への過剰転移を低減して、感熱製版印刷装置等特有の裏移りと呼ばれる不具合の発生を防止することができる。
【手続補正１５】
【補正対象書類名】明細書
【補正対象項目名】０１３０
【補正方法】変更
【補正の内容】
【０１３０】
請求項７記載の発明によれば、感熱孔版マスタが実質的に熱可塑性樹脂フィルムのみから成ることにより、上記各発明の効果に加えて、いわゆる繊維目のない良好な印刷画像が得られる。